(57)【特許請求の範囲】
【請求項１】
棚板に基板を着脱自在かつ棚板上の商品の移動方向に直交する方向に移動可能に設け、前記基板に、前記棚板上の商品を区分けすると共に商品の移動をガイドしかつ押し板を有する仕切り板を、前記商品の移動方向に移動自在かつ回動自在に設けてなり、前記仕切り板はストッパー機構により前記棚板の商品取出部位近傍で停止させることを特徴とする商品陳列具。
【請求項２】
前記基板にスライド及び回動溝を設け、該スライド及び回動溝内に前記仕切り板に設けた突起を嵌めてなる請求項１記載の商品陳列具。
【請求項３】
前記基板に前記仕切り板を回動自在に設けると共に、前記仕切り板に商品引出し具を前記商品の移動方向に移動自在に設けてなる請求項１記載の商品陳列具。
【請求項４】
前記基板下端に水平板を設け自立型とした請求項１〜３のいずれか１項に記載の商品陳列具。
【請求項５】
前記ストッパー機構は前記商品引出し具の後方に設けた押し板と前記棚板の商品取出部位に設けた商品落下防止具とで構成される請求項１〜４のいずれか１項に記載の商品陳列具。
【請求項６】
前記ストッパー機構は前記商品引出し具の後方に設けた押し板と前記基板に設けた商品落下防止具とで構成される請求項１〜４のいずれか１項に記載の商品陳列具。
【請求項７】
前記仕切り板と前記商品引出し具との間に引張りバネを設けた請求項３〜６のいずれか１項に記載の商品陳列具。
【発明の詳細な説明】
【０００１】
【発明の属する技術分野】
本発明は、主にコンビニエンスストアーやスーパー等の店内に設置されている商品陳列ケースの棚等に載置することにより用いられ、商品の手動前出しが容易に出来る商品陳列具に関する。
【０００２】
【従来の技術】
従来、コンビニエンスストアーやスーパー等では、図１７に示すような商品陳列ケース５０の各商品陳列棚５１に、多種類の商品５２が豊富に陳列されている。商品５２は手前の方から売れてゆくため、必然的に手前の部分が空くことになるから、奥にある商品５２を手前に出す所謂前出し作業が必要となる。この為、種々の自動又は半自動の前出し機能を備えた商品陳列棚又は商品陳列具が多数提案されている。例えば、▲１▼自動前出し機能を有するものとしては、収納ケース５３の底部に多数のローラ５４が商品陳列ケース５０の扉５５側に下り勾配となるように取り付けられた商品陳列具５６がある（特開平８−２４０９１号公報参照）。この商品陳列具５６は、商品５２を仕切る機能を有する仕切り板５７、５７における幅寸法が決められているから、その幅寸法に適合する商品５２のみが利用できる。従って、商品５２のサイズに合わせた複数種類の商品陳列具５６を取り揃えておく必要がある。
【０００３】
▲２▼手動前出し機能を有するものとしては、図１８に示すように、仕切り板５７の下端を棚板５８の上面に設けたスライド溝５９に嵌めると共に、仕切り板５７の後端に押し板６０を連設し、この押し板６０に設けた爪片６１をスライド溝５９に嵌めてなり、棚板５８上の奥に残った商品５２を仕切り板５７を引き寄せることにより、前出しできる商品陳列具６２がある（実公平５−２７８９４号公報参照）。
【０００４】
また、▲３▼手動前出し機能を有するものとしては、図１９に示すように、底板５８ａの一側に仕切り板５７ａを起立させて連設し、この仕切り板５７ａにスライド溝５９ａを設け、このスライド溝５９ａに押し板６０ａを設けた商品引出し具６３を嵌めてなり、底板５８ａ上の奥に残った商品を商品引出し具６３を引き寄せることにより、前出しできる商品陳列具６４がある（実開昭６３−１４０２５４号公報参照）。
【０００５】
更に、▲４▼手動前出し機能を有するものとしては、図２０に示すように、商品落下防止枠のある棚板５８ｂ上にＬ型仕切り板６５を配置し、このＬ型仕切り板６５に押し板６０ｂ及び商品引出し具６３ｂをそれぞれ嵌合することでガイドする案内板６６を接着することにより設け、かつ商品引出し具６３ｂに衝合片６７を設けて押し板６０ｂを後押し可能に構成してなり、Ｌ型仕切り板６５上の奥に残った商品５２を商品引出し具６３ｂを引き寄せることにより、衝合片６７を介して押し板６０ｂを後押して前出し出来るようにした商品陳列具６８がある（実開平４−１２５７６１号公報参照）。
【０００６】
【発明が解決しようとする課題】
従来の▲１▼商品陳列具５６は、上記の通り複数種類のものを取り揃えておく必要があるから、その費用が高く管理も煩雑となりやすい。また、この商品陳列具５６はサイズが決まっているから、商品陳列ケース５０内の各商品陳列棚５１の模様替えをするときの自由度が低く、やりずらい。更に、この商品陳列具５６は、商品５２毎に１台必要になり、その製作費用が高くなりがちである。
▲２▼の商品陳列具６２は、仕切り板５７に連設した押し板６０の爪片６１をスライド溝５９に単に嵌めているだけだから、不用意に仕切り板５７を引き寄せると、仕切り板５７は棚板５８上の商品５２と共に棚板５８から脱落してしまう恐れがある。
▲３▼の商品陳列具６４は、ユニットになっているが、商品陳列棚５１への止め方によっては、勢い良くあるいは不用意に商品引出し具６３を引き寄せたりすると、底板５８ａ上の商品５２と共にユニット全体が、商品陳列棚５１から脱落してしまう恐れがある。更に商品落下防止具６９の高さが商品引出し具６３の設置高さに規制されるから、背の高い商品ではやはり商品陳列棚５１から脱落する可能性がある。
▲４▼の商品陳列具６８も、ユニットになっているが、棚板５８上に単に載せてあるだけだから、商品５２が円筒状の缶ジュース等で前出しする時や、商品引出し具６３を斜め方向に強く引き寄せてしまった時に、商品陳列具６８がずれてしまい、陳列してある商品５２がばらばらになってしまう。更に、更に商品落下防止具６９の高さが商品引出し具６３の設置高さに規制されるから、背の高い商品ではやはり商品陳列棚５１から脱落する可能性がある。また、ガイドする案内板の厚みがあるため、商品の陳列容積が減少するという問題がある。
【０００７】
従って、本発明の目的は、様々な商品サイズに対応出来、棚板上の商品陳列容積を大きく採れ、商品がバラバラになったり、商品と共に構成部品が棚等から脱落したり、背の高い商品でも落下する様なことがなく、商品を確実に前出しすることができる商品陳列具を提供することにある。
【０００８】
【課題を解決するための手段】
かかる状況において、本発明者は、鋭意検討を行った結果、棚板に基板を商品の移動方向に直交する方向に移動可能に設け、その基板に、棚板上の商品の区分と移動とをガイドしかつ押し板を有する仕切り板を、前記商品の移動方向に移動自在かつ回動自在に設けて、仕切り板はストッパー機構により棚板の商品取出部位近傍で停止きるようにすれば、様々な商品サイズに対応出来、棚板上の商品がバラバラになったり、商品と共に構成部品があるいは背の高い商品でも、棚等から脱落する様なことがなく、商品を確実に前出しすることができることを見い出し、本発明を完成するに至った。
【０００９】
すなわち、本請求項１に係る発明は、棚板に基板を着脱自在かつ棚板上の商品の移動方向に直交する方向に移動可能に設け、前記基板に、前記棚板上の商品を区分けすると共に商品の移動をガイドしかつ押し板を有する仕切り板を、前記商品の移動方向に移動自在かつ回動自在に設けてなり、前記仕切り板はストッパー機構により前記棚板の商品取出部位近傍で停止させることを特徴とする商品陳列具を提供するものである。かかる構成を採ることにより、棚板上に載せた商品のサイズに合わせて仕切り板を移動して設置し、背の高い商品に対応した商品落下防止具を設置してあっても、仕切り板を上に挙げて手前に引けば商品を前出しでき、ストッパー機構により仕切り板は商品取出部位近傍で停止するから、仕切り板及び背の高い商品は脱落しない。
【００１０】
また、本請求項２に係る発明は、前記基板にスライド及び回動溝を設け、該スライド及び回動溝内に前記仕切り板に設けた突起を嵌めてなる商品陳列具を提供するものである。かかる構成を採ることにより、上記機能に加え、基板のスライド及び回動溝内に仕切り板の突起を嵌めてあるから、仕切り板を回動させれば、背の高い商品に対応した商品落下防止具を越えて手前に引き出せ、商品を落下させないで前出しできる。
【００１１】
また、本請求項３に係る発明は、前記基板に前記仕切り板を回動自在に設けると共に、前記仕切り板に商品引出し具を前記商品の移動方向に移動自在に設けてなる商品陳列具を提供するものである。かかる構成を採ることにより、上記機能に加え、仕切り板に設けた商品引出し具でも、仕切り板を回動させれば、商品引出し具を背の高い商品に対応した商品落下防止具を越えて手前に引き出せ、商品を落下させないで前出しできる。
【００１２】
また、本請求項４に係る発明は、前記基板下端に水平板を設け自立型とした商品陳列具を提供するものである。かかる構成を採ることにより、上記機能に加え、基板を自立型としたから基板及び仕切り板の振れが無くなって設置し易くなり、商品を安定、確実に前出しすることが出来る。
【００１３】
また、本請求項５に係る発明は、前記ストッパー機構は前記商品引出し具の後方に設けた押し板と前記棚板の商品取出部位に設けた商品落下防止具で構成される商品陳列具を提供するものである。かかる構成を採ることにより、上記機能に加え、商品引出し具を引き出した際、棚板に設けた商品落下防止具に当たり、それ以上引き出せないから商品引出し具を脱落させない。
【００１４】
また、本請求項６に係る発明は、前記ストッパー機構は前記商品引出し具の後方に設けた押し板と前記基板に設けた商品落下防止具でで構成される商品陳列具を提供するものである。かかる構成を採ることにより、商品引出し具を引き出した際、基板に設けた商品落下防止具に当たり、それ以上引き出せないから商品引出し具を脱落させない。
【００１５】
また、本請求項７に係る発明は、前記仕切り板と前記商品引出し具との間に引張りバネを設けた商品陳列具を提供するものである。かかる構成を採ることにより、商品引出し具を引き出して商品を取り出した後、商品引出し具を放すだけで元の状態に戻る。
【００１６】
【発明の実施の形態】
以下、実施の形態を挙げて本発明を図１〜１６に基づいて詳述する。
図１は本発明の実施の形態である商品陳列具を示す斜視図、図２は図１の商品陳列具を構成する仕切り板を示す斜視図、図３は図２のＡ−Ａ線に沿う断面図、図４は図２のＢ−Ｂ線に沿う断面図である。図において、商品陳列具１は、商品を手動前出しするもので、棚板２と基板３及び仕切り板４からなる仕切り装置５とから構成し、棚板２に基板３を着脱自在かつ棚板２上の商品６の移動方向に直交する方向に移動可能に設け、基板３に、棚板２上の商品６を区分けすると共に商品６の移動をガイドしかつ押し板７を有する仕切り板４を、商品６の移動方向に移動自在かつ回動自在に設けてなり、仕切り板４はストッパー機構８により棚板２の商品取出部位Ｇ近傍で停止するものである。
【００１７】
前記棚板２は、矩形状をなし商品陳列ケースの各段の止め金上に載置するもので、多数の商品６の重量に耐え得るように、強度面から箱状になっている。棚板２の商品取出部位Ｇ近傍には基板３を着脱自在かつ商品６の移動方向に直交する方向に移動可能にするための長溝１０が切られ、商品取出部位Ｇの反対側端部には上記止め金に掛けるための切欠１１が設けられている。なお、図１中２ａは商品名等の表示部である。なお、棚板２上に置く商品６は円筒状の缶飲料、直方体の紙パック飲料、瓶入り飲料など限定されない。
【００１８】
前記仕切り装置５の基板３は、薄板１２が曲げられてスライド及び回動溝１３が形成され、このスライド及び回動溝１３内に仕切り板４の突起１４が移動自在かつ回動自在に嵌められ、更に仕切り板４の下端部１５が移動自在に嵌められることで、仕切り板４は突起１４により基板３から離脱せず移動自在に、しかも回動自在となる。また、基板３の商品取出部位Ｇ側の端部には商品落下防止具１６が取り付けられ、その下端部に前記棚板２の長溝１０に沿い嵌めることのできる凸部１７が設けられている。従って、仕切り装置５は棚板２上で図１中矢線Ｂ方向に自在に移動できる。
【００１９】
この仕切り板４は、商品取出部位Ｇ側の一端に引き出すのに都合良いように凹み１８が設けられ、他端に商品６を押すための前記押し板７が設けられている。従って、この仕切り板４を用いて商品６を前出しするには、凹み１８を手指で掴みそのまま引き出しても、あるいは商品６の背が高いため商品落下防止具１６が高くなっている場合には、仕切り板４を上に挙げ商品落下防止具１６を避けて引き出せば、押し板７により商品６を押し、前出しできる。そして、前記ストッパー機構８は、図１における商品陳列具１の場合、押し板７と相まって商品落下防止具１６により構成される。すなわち、この商品陳列具１は、基板３から仕切り板４を引き出して行き、商品６が有っても無くても押し板７が最終的に商品落下防止具１６に当たり止まるから、それ以上引き出せず商品６と共に仕切り板４が脱落することがない。
【００２０】
また、仕切り装置５は、その基板３の商品取出部位Ｇ側の端部ばかりかその反対側にも凸部１７付きの商品落下防止具１６を取り付け、それに応じて前記棚板２に長溝１０を設けても良く（図では省略）、その他に図１に示す仕切り装置５ａ、５ｂのような形態がある。仕切り装置５ａは、基板３の商品取出部位Ｇの反対側の端部にマグネット板１９を設け、棚板２に吸い付けてその両端で仕切り装置５ａの設置位置を調整出来るようにした点で、仕切り装置５と異なる。一方、仕切り装置５ｂは、図１の棚板２の左端に設置するもので、押し板７が無く基板３と仕切り板４とが一体構成の基板３ａとなって、仕切り装置５と同様に棚板２上で図１中矢線Ｂ方向に自在に移動できるものである。
【００２１】
次に、上記構成からなる商品陳列具１の使用方法を説明する。
まず、棚板２、必要数の仕切り装置５あるいは５ａ、更に仕切り装置５ｂを用意する。次に、棚板２の長溝１０に必要数の仕切り装置５あるいは５ａを嵌め、最後に仕切り装置５ｂを嵌め、これらを図１中矢線Ｂ方向に移動して棚板２上の商品６のサイズに合わせて設置する。設置した仕切り装置５あるいは５ａ、５ｂ間に商品６を足して行き満たす。そして、取り出したい商品６が商品取出部位Ｇから離れ奥にある時は、仕切り板４の凹み１８を手指で掴みそのまま引き出すか、商品落下防止具１６に当たる場合は、仕切り板４を上に挙げ商品落下防止具１６を避けて引き出せば、押し板７により商品６を押し、前出しできる。その際、商品６が有っても無くても押し板７が最終的に商品落下防止具１６に当たり止まり、商品６と共に仕切り板４が脱落することがない。そして、商品６を取り出した後、仕切り板４を元に戻す。
【００２２】
図５は本発明の他の実施形態である商品陳列具１ａを示し、この商品陳列具１ａと図１〜４に示す商品陳列具１との相違点は、棚板２の長溝１０及び商品落下防止具１６の代わりに、棚板２の両端にピッチ板２０を設け、そのピッチ２１に商品６のサイズに合わせて仕切り装置５ｃの基板３の両端を差し込み、設置する点にある。その他の構成、作用は図１〜４の実施形態とほぼ同様であるから、図面に符号を付してその説明を省略する。なお、このピッチ板２０を棚板２の上面にレールを敷くように設け、そのピッチ２１に基板３の下端を差し込むようなものでも良い。
【００２３】
図６は本発明の他の実施形態である商品陳列具１ｂを示し、この商品陳列具１ｂと図１〜４に示す商品陳列具１との相違点は、棚板２の長溝１０及び商品落下防止具１６の代わりに、既に棚板２上に形成されている線材製仕切り板を取付けるピッチ穴２２に商品６のサイズに合わせて仕切り装置５ｄの基板３の両端にある移動自在な突起付き板２３を差し込み、設置する点にある。
【００２４】
図７は本発明の他の実施形態である商品陳列具１ｃを示し、この商品陳列具１ｃと図１〜４に示す商品陳列具１との相違点は、長溝１０及び商品落下防止具１６の代わりに、仕切り装置５ｅの基板３の端部に設けた係合片２４を、商品６のサイズに合わせて、棚板２の商品取出部位Ｇにおける反対側の端部２５に係合させ、設置する点にある。
【００２５】
図８は本発明の他の実施形態である商品陳列具１ｄを示し、この商品陳列具１ｄと図１〜４に示す商品陳列具１との相違点は、長溝１０及び商品落下防止具１６の代わりに、仕切り装置５ｆの基板３の両端部に孔２６を設け、この孔２６に丸棒２７を通し、丸棒２７を棚板２に固定して、仕切り装置５ｆに一体に形成される筒体２８を商品６のサイズに合わせて丸棒２７上を移動させ、設置する点にある。なお、筒体２８は仕切り装置５ｆと別体とし、これを移動させる方法でもよい。
【００２６】
図９は本発明の他の実施形態である商品陳列具１ｅを示し、この商品陳列具１ｅと図１〜４に示す商品陳列具１との相違点は、基板３の下端に水平板３０を設けて自立型の仕切り装置３１とし、この基板３の端に設けた凹溝３２を、棚板２の商品取出部位Ｇ側の端部に設けたレール３３に嵌め、仕切り装置３１を図中Ｂ方向に移動可能として、更にレール３３の外側の棚板２に設けた長溝３４に商品落下防止具１６ａを嵌めている点にある。従って、この商品陳列具１ｅにおけるストッパー機構８ａは、押し板７と相まって棚板２に設けた商品落下防止具１６ａにより構成される。そして、仕切り装置３１は、これ以外に、図１に示す仕切り装置５ｂのように、仕切り装置３１から仕切り板４を除いたものが、棚板２の左端に設置するために必要となる。その他の構成、作用は図１〜４の実施形態と同様なので、図面に符号を付して説明を省略する。
【００２７】
なお、基板３の下端に水平板３０を設けて自立型の仕切り装置３１を有する商品陳列具１ｅは、図９の実施形態以外に、図１の仕切り装置５ａのように、水平板３０にマグネット板を設けたものでも良いし、図５のように、棚板２上面にピッチ板を設け、そのピッチ板に水平板３０の裏面にある突起を差し込んでも良い。また、商品陳列具１ｅは、図６のように、棚板２上面のピッチ穴２２に、水平板３０の裏面に設けた突起を差し込んでも良く、図７のように、仕切り装置３１の端部に係合片を設け、棚板２端部２５に係合させても良い、更に、図８のように、水平板３０の両端裏面に孔２６の代わりに溝を設け、棚板２に丸棒２７の代わりに設けたバーに溝を嵌め、仕切り装置３１を商品６のサイズに合わせてバー上を移動し、設置しても良い。
【００２８】
図１０〜１２は本発明の他の実施形態である商品陳列具３５を構成する仕切り装置３６を示し、この商品陳列具３５と図１〜４に示す商品陳列具１との相違点は、仕切り装置３６の基板３ｂに仕切り板４ａを回動自在に設けると共に、仕切り板４ａに商品引出し具３７を商品６の移動方向に移動自在に設け、商品引出部位Ｇの反対側における、仕切り板４ａの端部と商品引出し具３７の端部との間に引張りバネ３８を掛けている点にある。すなわち、図１１に示すように基板３ｂには挿入溝３９が設けられ、仕切り板４ａの下端が挿入され、図１２に示すように基板３ｂの商品引出部位Ｇの反対側端部には支軸溝４０が設けられ、仕切り板４ａの軸４１が嵌められ、仕切り板４ａが回動自在となっている。更に、図１１に示すように仕切り板４ａにはスライド溝４２が切られ、そのスライド溝４２に商品引出し具３７に嵌められている。従って、仕切り板４ａに設けた商品引出し具３７でも、仕切り板４ａを回動させれば、商品引出し具３７を商品落下防止具１６を越えて手前に引き出せるから、背の高い商品６でも落下させないで前出しでき、その後引張りバネ３８により商品引出し具３７は元に戻る。その他の構成、作用は、図１〜４の商品陳列具１と同様なので、図面に符号を付してその説明を省略する。なお、仕切り装置３６は、仕切り板４ａに商品引出し具３７を設け、仕切り板４ａと商品引出し具３７との間に引張りバネ３８を掛けたこと以外、仕切り装置５、５ａ、５ｃ〜５ｆと同じであるから、これらにおけるのと同様な実施形態及びその変形を取ることが出来、これらも本発明の範囲である。
【００２９】
図１３、１４は本発明の他の実施形態である商品陳列具３５ａを示し、この商品陳列具３５ａと図１０〜１２に示す商品陳列具１との相違点は、下端に水平板４３を設けて自立型の仕切り装置３６ａとし、この仕切り装置３６ａの基板３ｂの端に設けた凹溝４４を、棚板２の商品取出部位Ｇ側の端部にある商品落下防止具１６ａの丸棒４５に嵌め、仕切り装置３６ａを図中Ｂ方向に移動可能とし、更に商品落下防止具１６ａを棚板２の長溝４６に嵌め、また、押し板７ａが水平板４３に案内され、傾斜して自立できない商品６に対応出来るようにしている点にある。従って、この商品陳列具３５ａのストッパー機構８ａは、押し板７ａと相まって棚板２に設けた商品落下防止具１６ａにより構成される。
【００３０】
そして、仕切り装置３６ａは、これ以外に、図１３に示す仕切り装置３６ｂ、３６ｃのような形態がある。仕切り装置３６ｂは、仕切り板４ａの端部と商品引出し具３７の端部との間に引張りバネ３８を掛け、商品引出し具３７を引き出し商品６を前出し後、手指を放せば引張りバネ３８のばね力により商品引出し具３７を元に戻せる点で、仕切り装置３６ａと異なる。仕切り装置３６ｃは、図１３の棚板２の右端に設置するもので、仕切り装置３６ａから商品引出し具３７を除いたもので、棚板２上で図１３中矢線Ｂ方向に自在に移動できるものである。その他の構成、作用は図１０〜１２の実施形態と同様なので、図面に符号を付して説明を省略する。
【００３１】
図１５、１６は図１３、１４に示す実施形態の変形を示すもので、図１５は、水平板４３の端部に突起４７を設け、この突起４７を嵌めるための長溝４８を商品落下防止具１６ａに合体させて商品落下防止具４９とし、この商品落下防止具４９を棚板２の長溝４６に嵌めたものである。図１６は、仕切り装置３６ａの端部に商品落下防止具１６を設け、これの下端部を長溝４６に嵌めたものである。
【００３２】
なお、下端に水平板４３を設けて自立型の仕切り装置板３６を有する商品陳列具３５は、図１０〜１６の実施形態以外に、図１の仕切り装置５ａのように、水平板４３にマグネット板を設けたものでも良いし、図５のように、棚板２上面にピッチ板を設け、そのピッチ板に水平板４３の裏面にある突起を差し込んでも良い。また、商品陳列具３５は、図６のように、棚板２上面のピッチ穴２２に、水平板４３の裏面に設けた突起を差し込んでも良く、図７のように、仕切り装置３６ａの基板３ａの端部に係合片を設け、棚板２の端部２５に係合させても良い、更に、図８のように、水平板４３の両端裏面に孔２６の代わりに溝を設け、棚板２に丸棒２７の代わりに設けたバーに溝を嵌め、仕切り装置３６ａを商品６のサイズに合わせてバー上を移動し、設置しても良い。
【００３３】
また、本発明において、ストッパー機構の他の形態としては、商品引出し具と該商品引出し具が嵌められるスライド溝で構成されるものでもよい。すなわち、商品引出し具のスライド溝側に長溝を設け、他方、スライド溝の前方部には該長溝に係合し該長溝の深さに相当する突起を設ければよい。これにより、長溝の切れ端部と突起が当接することにより該商品引出し具は停止する。
【００３４】
以上、本発明の実施形態を説明したが、具体的な構成はこれに限定されず、本発明の要旨を逸脱しない範囲での変更、追加は本発明の範囲内である。
【００３５】
【発明の効果】
以上詳述したように、請求項１の発明によれば、棚板上に載せた商品のサイズに合わせて仕切り板を移動して設置し、背の高い商品に対応した高いストッパー機構を設置してあっても、仕切り板を上に挙げて手前に引けば商品を前出しでき、ストッパー機構により仕切り板は商品取出部位近傍で停止するから、仕切り板及び背の高い商品は脱落しない。従って、様々な商品サイズに対応出来、棚板上の商品がバラバラになったり、商品と共に構成部品が棚等から脱落することがなく、背の高い商品落下防止具を避けて商品を手動で確実に前出しでき、しかも保有あるいは在庫管理をすべき構成品の種類が少なくて済む効果がある。
【００３６】
請求項２の発明によれば、上記効果に加え、基板のスライド及び回動溝内に仕切り板の突起を嵌めてあるから、仕切り板を回動させれば、商品落下防止具を越えて手前に引き出せ、背の高い商品でも落下させないで前出しできる。
【００３７】
請求項３の発明によれば、上記効果に加え、仕切り板に設けた商品引出し具でも、仕切り板を回動させれば、商品引出し具を商品落下防止具を越えて手前に引き出せ、背の高い商品でも落下させないで前出しできる。
【００３８】
請求項４の発明によれば、上記効果に加え、基板を自立型としたから基板及び仕切り板の振れが無くなって設置し易くなり、商品を安定、確実に前出しすることが出来る。
【００３９】
請求項５の発明によれば、商品引出し具を引き出した際、棚板の商品落下防止具に当たり、それ以上引き出せないから商品引出し具を脱落させない。従って、上記効果に加え、勢い良くあるいは不用意に商品引出し具を引き出しても、商品のみならず商品引出し具も脱落させず、落下による怪我や破損を防ぐことが出来る。
【００４０】
請求項６の発明によれば、商品引出し具を引き出した際、基板に設けた商品落下防止具に当たり、それ以上引き出せないから商品引出し具を脱落させない。従って、上記効果に加え、勢い良くあるいは不用意に商品引出し具を引き出しても、商品のみならず商品引出し具も脱落させず、落下による怪我や破損を防ぐことが出来る。
【００４１】
請求項７の発明によれば、商品引出し具を引き出して商品を取り出した後、商品引出し具を放すだけで元に戻る。従って、上記効果に加え、商品引出し具を引き出したままの状態が無くなり、この状態によるトラブルを未然に防ぐことが出来る。
【図面の簡単な説明】
【図１】本発明の実施形態である商品陳列具を示す斜視図。
【図２】本発明の実施形態である商品陳列具を構成する仕切り装置を示す斜視図。
【図３】図２のＡ−Ａ線に沿う断面図。
【図４】図２のＢ−Ｂ線に沿う断面図。
【図５】本発明の他の実施形態である商品陳列具を示す斜視図。
【図６】本発明の他の実施形態である商品陳列具を示す斜視図。
【図７】本発明の他の実施形態である商品陳列具を示す斜視図。
【図８】本発明の他の実施形態である商品陳列具を示す斜視図。
【図９】本発明の他の実施形態である商品陳列具を示す斜視図。
【図１０】本発明の他の実施形態である商品陳列具を構成する仕切り装置を示す斜視図。
【図１１】図１０のＣ−Ｃ線に沿う断面図。
【図１２】図１０のＤ−Ｄ線に沿う断面図。
【図１３】本発明の他の実施形態である商品陳列具を示す斜視図。
【図１４】本発明の他の実施形態である商品陳列具の一部を示す断面図。
【図１５】本発明の他の実施形態である商品陳列具の一部を示す断面図。
【図１６】本発明の他の実施形態である商品陳列具の一部を示す断面図。
【図１７】従来例を示す斜視図。
【図１８】従来例を示す側面図。
【図１９】従来例を示す斜視図。
【図２０】従来例を示す断面図。
【符号の説明】
１、１ａ、１ｂ、１ｃ、１ｄ、１ｅ、３５、３５ａ、５６、６２、６４、
６８                    商品陳列具
２、５８                棚板
２ａ                    表示部
３、３ａ、３ｂ          基板
４、４ａ、５７          仕切り板
５、５ａ、５ｂ、５ｃ、５ｄ、５ｅ、５ｆ、３１、３６、３６ａ、３６ｂ
３６ｃ                  仕切り装置
６、５２                商品
７、７ａ、６０          押し板
８、８ａ                ストッパー機構
１０、３４、４６、４８  長溝
１１                    切欠
１２                    薄板
１３                    スライド及び回動溝
１４、４７              突起
１５                    下端部
１６、１６ａ、４９、６９    商品落下防止具
１７                    凸部
１８                    凹み
１９                    マグネット板
２０                    ピッチ板
２１                    ピッチ
２２                    ピッチ穴
２３                    突起付き板
２４                    係合片
２５                    端部
２６                    孔
２７、４５              丸棒
３０、４３              水平板
３２、４４              凹溝
３３                    レール
３７、６３              商品引出し具
３８                    引張りバネ
３９                    挿入溝
４０                    支軸溝
４１                    軸
４２、５９              スライド溝
５０                    商品陳列ケース
５１                    商品陳列棚
５３                    収納ケース
５４                    ローラ
５５                    扉
５８ａ                  底板
６１                    爪片
６５                    Ｌ型仕切り板
６６                    案内板
６７                    衝合片
Ｇ                      商品取出部位
【図１】
0004107449.tif 000002
【図２】
0004107449.tif 000003
【図３】
0004107449.tif 000004
【図４】
0004107449.tif 000005
【図５】
0004107449.tif 000006
【図６】
0004107449.tif 000007
【図７】
0004107449.tif 000008
【図８】
0004107449.tif 000009
【図９】
0004107449.tif 000010
【図１０】
0004107449.tif 000011
【図１１】
0004107449.tif 000012
【図１２】
0004107449.tif 000013
【図１３】
0004107449.tif 000014
【図１４】
0004107449.tif 000015
【図１５】
0004107449.tif 000016
【図１６】
0004107449.tif 000017
【図１７】
0004107449.tif 000018
【図１８】
0004107449.tif 000019
【図１９】
0004107449.tif 000020
【図２０】
0004107449.tif 000021